(57)【要約】【課題】排水口を覆う蓋を簡単に取り外すことのできる防水床構造、及びこれを備えたシャワールームユニットを提供する。【解決手段】防水床構造１は、排水口１０１が設けられた床パン１０と、排水口１０１の上方を覆う蓋１５を備える。床パン１０は、排水溝１０３と凹部１０４を備える。排水溝１０３は、長手方向Ｄ１の一端部１０３１に向けて下り傾斜した底面を有する。凹部１０４は、短手方向Ｄ２において一端部１０３１に隣接する。凹部１０４には、蓋１５が着脱自在に配置される。蓋１５が凹部１０４に配置された状態で、蓋１５と排水口１０１の間に形成される空間が、排水溝１０３の一端部１０３１に連通する。【選択図】図３
2017125314.tif 000002
【特許請求の範囲】
【請求項１】
平面視四角形状の外郭を有し、上方に開口する排水口が設けられた床パンと、
前記排水口の上方を覆うように前記床パンに配置される蓋と、を備え、
前記床パンは、
前記外郭の一辺の全長に沿って細長い平面視長方形状に設けられ、長手方向の一端部に向けて下り傾斜した底面を有する排水溝と、
前記長手方向と直交する短手方向において前記一端部に隣接して設けられ、前記蓋が着脱自在に配置される凹部と、を備え、
前記蓋が前記凹部に配置された状態で、前記蓋と前記排水口の間に形成される空間が、前記排水溝の前記一端部と連通するように構成された
ことを特徴とする防水床構造。
【請求項２】
前記蓋が前記凹部に配置された状態で、前記蓋の前記排水溝に近い側の端縁と、前記排水溝の前記排水口に近い側の端縁とが、平面視で一直線状に連続するように構成された
ことを特徴とする請求項１に記載の防水床構造。
【請求項３】
前記排水溝の前記一端部は、前記排水口に向けて下り傾斜した傾斜面を有する
ことを特徴とする請求項１または２に記載の防水床構造。
【請求項４】
前記傾斜面は、前記排水口に向けて水を集めるように傾斜した面である
ことを特徴とする請求項３に記載の防水床構造。
【請求項５】
請求項１〜４のいずれか一項に記載の防水床構造と、
前記床パンの前記外郭に沿って設置された複数の側壁と、
シャワーヘッドを含むシャワー装置と、を備え、
前記シャワー装置は、前記複数の側壁のうち、前記外郭の前記一辺に沿って設置された側壁に、設置されている
ことを特徴とするシャワールームユニット。
【発明の詳細な説明】
【技術分野】
【０００１】
本発明は、床パンを用いた防水床構造、及びこれを備えたシャワールームユニットに関する。
【背景技術】
【０００２】
特許文献１には、シャワールーム等に用いられる床パンが記載されている。この床パンは、排水を誘導する排水溝と、排水溝を通じて誘導した水を排水する排水口とを備える。排水口は、排水溝の底面に設けられている。
【先行技術文献】
【特許文献】
【０００３】
【特許文献１】実開平６−８５４６７号公報
【発明の概要】
【発明が解決しようとする課題】
【０００４】
従来の床パンを用いた防水床構造では、排水溝の底面に排水口が位置するので、排水口を覆うための蓋を床パンに配置した場合、この蓋によって、排水溝の長手方向の一部が塞がれる。
【０００５】
そのため、蓋を取り外すときには、排水溝の長手方向に沿って蓋の裏側に指を入れ、蓋の裏側に指を引っ掛ける必要があり、蓋の取り外しをしにくいという問題があった。
【０００６】
本発明は、排水口を覆うように配置された蓋を簡単に取り外すことのできる防水床構造、及びこれを備えたシャワールームユニットを提供することを、目的とする。
【課題を解決するための手段】
【０００７】
本発明に係る形態の防水床構造は、平面視四角形状の外郭を有し、上方に開口する排水口が設けられた床パンと、前記排水口の上方を覆うように前記床パンに配置される蓋とを備える。
【０００８】
前記床パンは、前記外郭の一辺の全長に沿って細長い平面視長方形状に設けられ、長手方向の一端部に向けて下り傾斜した底面を有する排水溝と、前記長手方向と直交する短手方向において前記一端部に隣接して設けられ、前記蓋が着脱自在に配置される凹部とを備える。
【０００９】
前記蓋が前記凹部に配置された状態で、前記蓋と前記排水口の間に形成される空間が、前記排水溝の前記一端部と連通する。
【００１０】
また、本発明に係る形態のシャワールームユニットは、前記構成を具備する防水床構造と、前記床パンの前記外郭に沿って設置された複数の側壁と、シャワーヘッドを含むシャワー装置とを備える。前記シャワー装置は、前記複数の側壁のうち、前記外郭の前記一辺に沿って設置された側壁に、設置されている。
【発明の効果】
【００１１】
本発明は、排水口を覆うように配置された蓋を簡単に取り外すことができるという効果を奏する。
【図面の簡単な説明】
【００１２】
【図１】図１は、一実施形態のシャワールームユニットの斜視図である。
【図２】図２は、同上のシャワールームユニットが備える防水床構造の斜視図である。
【図３】図３は、同上の防水床構造の平面図である。
【図４】図４Ａは、図３のＡ−Ａ線断面図であり、図４Ｂは、図４ＡのＰ部拡大図である。
【図５】図５Ａは、図３のＢ−Ｂ線断面図であり、図５Ｂは、図５ＡのＱ部拡大図である。
【図６】図６は、同上の防水床構造が備える床パンの要部を拡大した斜視図である。
【図７】図７は、同上の床パンの第一変形例の要部を拡大した平面図である。
【図８】図８Ａは、図７のＣ−Ｃ線断面図であり、図８Ｂは、図７のＤ−Ｄ線断面である。
【図９】図９は、同上の床パンの第二変形例の要部を拡大した平面図である。
【図１０】図１０Ａは、図９のＥ−Ｅ線断面図であり、図１０Ｂは、図９のＦ−Ｆ線断面である。
【図１１】図１１は、同上の床パンの第三変形例の要部を拡大した平面図である。
【図１２】図１２Ａは、図１１のＧ−Ｇ線断面図であり、図１２Ｂは、図１１のＨ−Ｈ線断面である。
【発明を実施するための形態】
【００１３】
図１には、一実施形態の防水床構造１を用いて構成されたシャワールームユニットＵ１を示している。本文中で用いる各方向は、図１の状態を基準とする。
【００１４】
シャワールームユニットＵ１は、平面視（上方から視たときに）四角形状の外郭を有する防水床構造１と、防水床構造１の周縁部に設置される複数の側壁２，３，４，５と、これら複数の側壁２，３，４，５によって上方に支持される天板部６とを備える。
【００１５】
防水床構造１は、排水口１０１（図６等参照）を有する平面視矩形状の床パン１０で、主体が構成される。防水床構造１は、床パン１０の周縁部の下面に設置される複数のアジャスターボルト１１と、排水口１０１に連通するように床パン１０の下面に接続される排水管１２と、排水口１０１を覆うように床パン１０の上面に着脱自在に配置される平板状の蓋１５とを、さらに備える。
【００１６】
複数の側壁２，３，４，５は、床パン１０の外郭を構成する四辺のそれぞれに沿って設置される。四つの側壁２，３，４，５のうち一つの側壁２には、シャワー装置７が設置される。四つの側壁２，３，４，５のうち他の一つの側壁３は、透明または半透明な扉で構成される。
【００１７】
シャワー装置７は、シャワーヘッド７１、ホース７２、水栓７３及びシャワーフック７４を含む。ホース７２の一端はシャワーヘッド７１に接続され、ホース７２の他端は水栓７３に接続される。水栓７３は、湯水を混合することのできる水栓であり、側壁２の内面に固定される。シャワーフック７４は、シャワーヘッド７１を引っ掛けることのできるフックであり、側壁２の内面のうち水栓７３が固定される箇所よりも上方に固定される。
【００１８】
以下においては、防水床構造１のさらに具体的な構造について、図２〜図６に基づいて説明する。図４Ａは、図３のＡ−Ａ線断面図であり、図４Ｂは、図４ＡのＰ部拡大図である。図５Ａは、図３のＢ−Ｂ線断面図であり、図５Ｂは、図５ＡのＱ部拡大図である。
【００１９】
図２，３に示すように、床パン１０の外郭は、床パン１０の全周に亘って設けられた矩形枠状の周縁部１０９の外郭で構成される。周縁部１０９は、床パン１０の他の部分よりも一段高く位置する。
【００２０】
床パン１０は、周縁部１０９の内側に、使用者が乗ることができる床部１０２と、床部１０２よりも一段低い凹部１０４と、同じく床部１０２よりも一段低い排水溝１０３とを備える。排水口１０１は、凹部１０４内に位置する（図６等参照）。
【００２１】
床部１０２は、平面視において、四角形の角部分が切り欠かれた形状を有する。この角部分に、凹部１０４が設けられる。
【００２２】
蓋１５は平面視四角形状であり、これを凹部１０４に配置したときに、凹部１０４にぴったりと嵌るように構成されている。蓋１５が凹部１０４に嵌った状態で、蓋１５の一つの端縁１５１は、床部１０２の端縁１０２１に対して平面視で一直線状に連続する。
【００２３】
また、蓋１５が凹部１０４に嵌った状態で、蓋１５の上面は、床部１０２の上面に対して面一に位置する。蓋１５の上面と、床部１０２の上面には、同様の凹凸形状が施されている。この凹凸形状は、滑り止め効果や水捌け効果を発揮することのできる形状である。床部１０２の上面と、凹部１０４に嵌められた蓋１５の上面とは、一つながりの平面のように視認され得る。
【００２４】
排水溝１０３は、周縁部１０９を構成する四つの縁部１０９１，１０９２，１０９３，１０９４のうち、一つの縁部１０９１に沿って設けられる。縁部１０９１は、平面視一直線状である。
【００２５】
排水溝１０３は、縁部１０９１が延びる方向を長手方向Ｄ１とする平面視長方形状の溝である。排水溝１０３は長手方向Ｄ１に細長く、縁部１０９１の全長に亘ってその内側に位置する。ここでの縁部１０９１の全長は、長手方向Ｄ１の両端に位置する縁部１０９２と縁部１０９４の間の領域における、縁部１０９１の長手方向Ｄ１の長さである。
【００２６】
排水溝１０３の短手方向Ｄ２は、長手方向Ｄ１と直交する方向である。排水溝１０３の短手方向Ｄ２の幅は、長手方向Ｄ１の全長に亘って同一である。
【００２７】
排水溝１０３は、短手方向Ｄ２において、床部１０２と凹部１０４に隣接して位置する。
【００２８】
床部１０２の端縁１０２１は、排水溝１０３に近い側（排水溝１０３に面する側）の端縁である。端縁１０２１は、長手方向Ｄ１に沿って一直線状である。床部１０２の上面は、端縁１０２１に向けて僅かに下り傾斜している。図３や図４Ａには、床部１０２の上面の傾斜方向（流れ方向）を、破線矢印で示している。
【００２９】
蓋１５の端縁１５１は、蓋１５が凹部１０４に嵌った状態で、排水溝１０３に近い側（排水溝１０３に面する側）の端縁である。端縁１５１は、長手方向Ｄ１に沿って一直線状である。
【００３０】
排水溝１０３は、長手方向Ｄ１の一端部１０３１と、一端部１０３１を除いた溝本体部１０３２とに区分することができる。溝本体部１０３２は、一端部１０３１に向けて下り傾斜した底面を有する。溝本体部１０３２の底面は、全体として下り傾斜であればよい。
【００３１】
一端部１０３１は、排水溝１０３のうち凹部１０４に隣接する部分である。言い換えれば、一端部１０３１は、排水溝１０３のうち、凹部１０４に嵌められた蓋１５の端縁１５１が面する部分である。
【００３２】
溝本体部１０３２は、排水溝１０３のうち床部１０２に隣接する部分である。言い換えれば、溝本体部１０３２は、排水溝１０３のうち、床部１０２の端縁１０２１が面する部分である。図３や図５Ａには、溝本体部１０３２の傾斜方向（流れ方向）を、破線矢印で示している。
【００３３】
排水溝１０３の一端部１０３１の底面は、凹部１０４に向けて下り傾斜した傾斜面１０５で構成される。傾斜面１０５は、長手方向Ｄ１に沿って、複数（本実施形態では三つ）の面１０５１，１０５２，１０５３に区分することができる。
【００３４】
本実施形態の複数の面１０５１，１０５２，１０５３は、第一面１０５１と、第一面１０５１に対して長手方向Ｄ１の一側に位置する第二面１０５２と、第一面１０５１に対して長手方向Ｄ１の他側に位置する第三面１０５３である。
【００３５】
図６に示すように、第一面１０５１、第二面１０５２及び第三面１０５３は、凹部１０４の中央で開口する排水口１０１に向けて、それぞれ下り傾斜している。第一面１０５１、第二面１０５２及び第三面１０５３の傾斜方向は、互いに異なる。第一面１０５１、第二面１０５２及び第三面１０５３のそれぞれの傾斜方向（水が流れる方向）は、下方に向けて互いに接近する方向である。
【００３６】
図６中では、第一面１０５１、第二面１０５２及び第三面１０５３のそれぞれの傾斜方向を、破線矢印で示している。傾斜面１０５（第一面１０５１、第二面１０５２及び第三面１０５３）は全体として、排水口１０１に向けて水を集めるように傾斜している。
【００３７】
蓋１５が凹部１０４に嵌められた状態で、蓋１５と排水口１０１の間には、蓋１５によって上方を覆われた空間Ｓ１（図４Ａ、図４Ｂ等参照）が形成される。空間Ｓ１は、排水口１０１に連通する。
【００３８】
蓋１５が凹部１０４に嵌められた状態で、蓋１５の端縁部と、排水溝１０３の一端部１０３１の底面（傾斜面１０５）との間には、隙間Ｇ１が形成される。隙間Ｇ１は、傾斜面１０５の第一面１０５１と蓋１５の端縁部との間の領域で、最も上下に大きく開口する。
【００３９】
排水溝１０３の一端部１０３１の空間は、この隙間Ｇ１を介して、蓋１５の下方の空間Ｓ１に連通する。
【００４０】
したがって、シャワー装置７のシャワーヘッド７１から吐出された湯水は、床部１０２の上面を伝って排水溝１０３に向けて流れ、排水溝１０３の溝本体部１０３２に至った湯水は、溝本体部１０３２の底面を伝って一端部１０３１に向けて流れる。
【００４１】
一端部１０３１に至った湯水は、傾斜面１０５を伝って短手方向Ｄ２に流れ、隙間Ｇ１を通じて蓋１５の下方の空間Ｓ１に至り、排水口１０１と排水管１２を通じて排出される。
【００４２】
本実施形態の防水床構造１を用いて構成されたシャワールームユニットＵ１では、排水溝１０３が細長い平面視長方形状（幅を有するライン状）に設けられ、この排水溝１０３の一端部１０３１に対して短手方向Ｄ２に隣接する位置に、蓋１５が着脱自在に配置される。
【００４３】
そのため、凹部１０４に嵌められた蓋１５を取り外す場合には、使用者は排水溝１０３の短手方向Ｄ２に沿って隙間Ｇ１に指を入れ、蓋１５の裏側に指を引っ掛ければよい。
【００４４】
隙間Ｇ１は、長手方向Ｄ１に沿って比較的長く形成されるので、使用者は排水溝１０３と隙間Ｇ１を通じて指を挿入しやすく、蓋１５の取り外しが簡単に行われる。
【００４５】
しかも、本実施形態の防水床構造１を用いて構成されたシャワールームユニットＵ１では、蓋１５が凹部１０４に嵌められた状態で、蓋１５の端縁１５１と、床部１０２の端縁１０２１とが、平面視で一直線状に連続する。言い換えれば、蓋１５の端縁１５１と、排水溝１０３の端縁１０３５（図３参照）とが、平面視で一直線状に連続する。端縁１０３５は、排水溝１０３の短手方向Ｄ２の両側に位置する一対の端縁のうち、排水口１０１に近い側の端縁である。
【００４６】
使用者にとっては、床部１０２と蓋１５の互いの上面が、一つながりの平面のように一体感を持って視認され、排水溝１０３は、その長手方向Ｄ２の全長に亘って一本のラインのように視認され得る。そのため、防水床構造１は高いデザイン性も有する。
【００４７】
なお、本実施形態の床パン１０では、排水溝１０３の一端部１０３１の底面が、複数に区分された傾斜面１０５で構成されているが、一端部１０３１の底面はこのような傾斜面１０５に限定されない。
【００４８】
以下においては、床パン１０の各種変形例について説明する。
【００４９】
図７、図８Ａ及び図８Ｂには、床パン１０の第一変形例の要部を示している。図８Ａは図７のＣ−Ｃ線断面図であり、図８Ｂは図７のＤ−Ｄ線断面図である。
【００５０】
第一変形例では、床パン１０の排水溝１０３の一端部１０３１の傾斜面１０５は、排水口１０１に向けて下り傾斜し、かつ、凹状に湾曲した面である。傾斜面１０５は、排水口１０１に近い部分（凹部１０４に近い部分）ほど曲率半径が漸次小さくなるように、全体として滑らかに湾曲している。
【００５１】
図７に破線矢印で示すように、湾曲した傾斜面１０５上の各所の傾斜方向（水が流れる方向）は、下方に向けて互いに接近する方向である。
【００５２】
蓋１５の端縁部と、湾曲した傾斜面１０５との間には、隙間Ｇ１が形成される。隙間Ｇ１は、傾斜面１０５のうち長手方向Ｄ１の中央の領域で、最も上下に大きく開口する。
【００５３】
排水溝１０３に流れた湯水は、溝本体部１０３２の底面を伝って傾斜面１０５上に至り、傾斜面１０５上で排水口１０１に向けて集まるように流れながら、隙間Ｇ１を通じて蓋１５の下方の空間Ｓ１に至り、排水口１０１から排出される。
【００５４】
図９、図１０Ａ及び図１０Ｂには、床パン１０の第二変形例の要部を示している。図１０Ａは図９のＥ−Ｅ線断面図であり、図１０Ｂは図９のＦ−Ｆ線断面図である。
【００５５】
第二変形例において、床パン１０の傾斜面１０５は、排水口１０１に向けて下り傾斜する一つの面である。
【００５６】
図９に破線矢印で示すように、傾斜面１０５上の傾斜方向（水が流れる方向）は、短手方向Ｄ２に沿って排水口１０１に近づく方向である。蓋１５の端縁部と、傾斜面１０５との間には、隙間Ｇ１が形成される。
【００５７】
排水溝１０３に流れた湯水は、溝本体部１０３２の底面を伝って傾斜面１０５上に至り、隙間Ｇ１を通じて蓋１５の下方の空間Ｓ１に流れ込み、排水口１０１から排出される。
【００５８】
図１１、図１２Ａ及び図１２Ｂには、床パン１０の第三変形例の要部を示している。図１２Ａは図１０のＧ−Ｇ線断面図であり、図１２Ｂは図１１のＨ−Ｈ線断面図である。
【００５９】
第三変形例においては、床パン１０の排水溝１０３の一端部１０３１に、傾斜面１０５が設けられていない。一端部１０３１の底面は、排水口１０１に向けて下り傾斜していない。蓋１５の端縁部と、一端部１０３１との間には、隙間Ｇ１が形成される。
【００６０】
この場合でも、排水溝１０３に流れた湯水は、溝本体部１０３２の底面を伝って一端部１０３１の底面上に至り、隙間Ｇ１を通じて蓋１５の下方の空間Ｓ１に流れ込み、排水口１０１から排出される。
【００６１】
以上、添付図面に基づいて説明したように、本実施形態の防水床構造１は、平面視四角形状の外郭を有し、上方に開口する排水口１０１が設けられた床パン１０と、排水口１０１の上方を覆うように床パン１０に配置される蓋１５とを備える。
【００６２】
床パン１０は、排水溝１０３と凹部１０４とを備える。排水溝１０３は、床パン１０の外郭の一辺の全長に沿って細長い平面視長方形状に設けられる。排水溝１０３は、長手方向Ｄ１の一端部１０３１に向けて下り傾斜した底面を有する。
【００６３】
凹部１０４は、長手方向Ｄ１と直交する短手方向Ｄ２において、一端部１０３１に隣接して設けられる。凹部１０４には、蓋１５が着脱自在に配置される。
【００６４】
蓋１５が凹部１０４に配置された状態で、蓋１５と排水口１０１の間に形成される空間Ｓ１が、排水溝１０３の一端部１０３１と連通する。
【００６５】
したがって、本実施形態の防水床構造１によれば、使用者は、短手方向Ｄ２に沿って排水溝１０３の一端部１０３１に指を入れ、蓋１５の裏面に指を引っ掛けることで、蓋１５を簡単に取り外すことが可能である。
【００６６】
加えて、本実施形態の防水床構造１は、蓋１５が凹部１０４に配置された状態で、蓋１５の排水溝１０３に近い側の端縁１５１と、排水溝１０３の排水口１０１に近い側の端縁１０３５とが、平面視で一直線状に連続するように構成されている。
【００６７】
したがって、本実施形態の防水床構造１によれば、蓋１５を取り外す作業が簡単であることに加えて、防水床構造１の全体の視覚的な統一感が高められ得る。
【００６８】
加えて、本実施形態の防水床構造１において、排水溝１０３の一端部１０３１は、排水口１０１に向けて下り傾斜した傾斜面１０５を有する。
【００６９】
したがって、本実施形態の防水床構造１によれば、傾斜面１０５を通じてさらに円滑に排水が行われ得る。
【００７０】
加えて、本実施形態の防水床構造１において、傾斜面１０５は、排水口１０１に向けて水を集めるように傾斜した面である。
【００７１】
したがって、本実施形態の防水床構造１によれば、傾斜面１０５を通じてさらに円滑に排水が行われ得る。
【００７２】
また、本実施形態のシャワールームユニットＵ１は、防水床構造１と、床パン１０の外郭に沿って設置された複数の側壁２，３，４，５と、シャワーヘッド７１を含むシャワー装置７とを備える。シャワー装置７は、複数の側壁２，３，４，５のうち、床パン１０の外郭の前記一辺に沿って設置された側壁２に、設置されている。
【００７３】
したがって、本実施形態のシャワールームユニットＵ１によれば、防水床構造１の蓋１５を簡単に取り外すことが可能である。加えて、シャワー装置７から吐出される湯水が使用者の身体に当たって側壁２に向けて跳ね返り、この跳ね返った湯水が、側壁２に隣接する排水溝１０３を通じて円滑に排水されるので、排水が効率的に行われ得る。
【００７４】
以上、実施形態について説明したが、防水床構造やこれを備えるシャワールームユニットは、前記した実施形態に限定されず、適宜の設計変更を行うことが可能である。
【符号の説明】
【００７５】
１        防水床構造
１０      床パン
１０１    排水口
１０３    排水溝
１０３１  一端部
１０３５  端縁
１０４    凹部
１０５    傾斜面
１５      蓋
２        側壁
３        側壁
４        側壁
５        側壁
７        シャワー装置
７１      シャワーヘッド
Ｄ１      長手方向
Ｄ２      短手方向
Ｕ１      シャワールームユニット
【図１】
2017125314.tif 000003
【図２】
2017125314.tif 000004
【図３】
2017125314.tif 000005
【図４】
2017125314.tif 000006
【図５】
2017125314.tif 000007
【図６】
2017125314.tif 000008
【図７】
2017125314.tif 000009
【図８】
2017125314.tif 000010
【図９】
2017125314.tif 000011
【図１０】
2017125314.tif 000012
【図１１】
2017125314.tif 000013
【図１２】
2017125314.tif 000014